(57)【特許請求の範囲】
【請求項１】
交流電源からの交流電圧を整流することにより得られた直流電圧を昇圧する昇圧チョッパ回路と、
前記昇圧チョッパ回路により昇圧された直流電圧を降圧し、降圧した直流電圧により光源を点灯させるバックコンバータ回路と、
調光器から消灯指示を受けた際に、前記バックコンバータ回路を停止させ、前記昇圧チョッパ回路の駆動を維持し、予め設定された時間が経過する前に前記調光器から再点灯指示を受けた際に、前記バックコンバータ回路の駆動を再開させることで前記光源を点灯させ、予め設定された時間が経過する前に前記調光器から再点灯指示を受けない際に、前記昇圧チョッパ回路の出力電圧を低減させ、最終的に停止させることで前記光源を消灯させる制御装置と、
を備えた点灯装置。
【請求項２】
請求項１に記載の点灯装置を備えた照明器具。
【発明の詳細な説明】
【技術分野】
【０００１】
この発明は、点灯装置および照明器具に関する。
【背景技術】
【０００２】
特許文献１は、点灯装置を開示する。当該点灯装置において、昇圧チョッパ回路は、交流電源からの交流電圧を整流することにより得られた直流電圧を昇圧する。バックコンバータ回路は、昇圧チョッパ回路により昇圧された直流電圧を降圧し、降圧した直流電圧により光源を点灯させる。制御装置は、制御電源回路からの電源供給により駆動する。制御装置は、昇圧チョッパ回路の動作とバックコンバータ回路の動作とを制御する。
【先行技術文献】
【特許文献】
【０００３】
【特許文献１】特開２０１５−１５９０３６号公報
【発明の概要】
【発明が解決しようとする課題】
【０００４】
特許文献１に記載の点灯装置においては、調光器から消灯指示を受けた際における昇圧チョッパ回路とバックコンバータ回路との停止順が明確化されていない。このため、光源の消灯動作が安定しない。
【０００５】
この発明は、上述の課題を解決するためになされた。この発明の目的は、調光器から消灯指示を受けた際に光源の消灯動作を安定させることができる点灯装置および照明器具を提供することである。
【課題を解決するための手段】
【０００６】
この発明に係る点灯装置は、交流電源からの交流電圧を整流することにより得られた直流電圧を昇圧する昇圧チョッパ回路と、前記昇圧チョッパ回路により昇圧された直流電圧を降圧し、降圧した直流電圧により光源を点灯させるバックコンバータ回路と、調光器から消灯指示を受けた際に、前記バックコンバータ回路を停止させ、前記昇圧チョッパ回路の駆動を維持し、予め設定された時間が経過する前に前記調光器から再点灯指示を受けた際に、前記バックコンバータ回路の駆動を再開させることで前記光源を点灯させ、予め設定された時間が経過する前に前記調光器から再点灯指示を受けない際に、前記昇圧チョッパ回路の出力電圧を低減させ、最終的に停止させることで前記光源を消灯させる制御装置と、を備えた。
【０００７】
この発明に係る照明器具は、上記点灯装置を備えた。
【発明の効果】
【０００８】
これらの発明によれば、調光器から消灯指示を受けた際に、昇圧チョッパ回路とバックコンバータ回路とは、予め設定された順番で停止する。このため、光源の消灯動作を安定させることができる。
【図面の簡単な説明】
【０００９】
【図１】この発明の実施の形態１における点灯装置を備えた照明器具の回路図である。
【図２】この発明の実施の形態１における点灯装置が調光器から消灯指示を受ける際のＬＥＤの消灯動作を説明するためのタイミングチャートである。
【図３】この発明の実施の形態１における点灯装置において調光器から消灯指示を受ける際の制御装置の動作を説明するためのフローチャートである。
【図４】この発明の実施の形態１における点灯装置を備えた照明器具の制御装置の変形例を説明するための回路図である。
【図５】この発明の実施の形態１における点灯装置を備えた照明器具の制御装置の変形例の周辺を説明するための回路図である。
【図６】この発明の実施の形態２における点灯装置が調光器から消灯指示を受ける際のＬＥＤの消灯動作を説明するためのタイミングチャートである。
【図７】この発明の実施の形態２における点灯装置において調光器から消灯指示を受ける際の制御装置の動作を説明するためのフローチャートである。
【図８】この発明の実施の形態３における点灯装置が調光器から消灯指示を受ける際のＬＥＤの消灯動作を説明するためのタイミングチャートである。
【図９】この発明の実施の形態３における点灯装置において調光器から消灯指示を受ける際の制御装置の動作を説明するためのフローチャートである。
【発明を実施するための形態】
【００１０】
この発明を実施するための形態について添付の図面に従って説明する。なお、各図中、同一又は相当する部分には、同一の符号が付される。当該部分の重複説明は適宜に簡略化又は省略化される。各構成の大きさの関係は、実際と異なる場合もある。
【００１１】
実施の形態１．
図１はこの発明の実施の形態１における点灯装置を備えた照明器具の回路図である。
【００１２】
図１に示すように、照明器具１は、交流電源２に接続される。照明器具１は、光源モジュール３と点灯装置４とを備える。
【００１３】
例えば、光源モジュール３は、複数のＬＥＤ５を１列に直列に接続したモジュールである。ＬＥＤ５の各々は、無機半導体で形成されたＬＥＤ素子であるが、例えば、ＬＥＤ５の各々は、有機半導体で形成された有機ＥＬ素子であってもよい。
【００１４】
点灯装置４は、整流回路６とコンデンサ７と抵抗８と抵抗９と昇圧チョッパ回路１０とバックコンバータ回路１１とランプ接続検出回路１２と制御電源回路１３と駆動回路１４と制御装置１５とを備える。
【００１５】
整流回路６は、交流電源２に接続される。整流回路６の低電位側は、接地される。コンデンサ７は、整流回路６の出力端に並列に接続される。抵抗８と抵抗９とは、直列に接続されることにより分圧回路を形成する。当該分圧回路は、コンデンサ７に並列に接続される。
【００１６】
昇圧チョッパ回路１０は、インダクタ１６と第１スイッチング素子Ｑ１とダイオード１７とコンデンサ１８と抵抗１９と抵抗２０とを備える。
【００１７】
インダクタ１６の一端は、整流回路６の高電位側に接続される。
【００１８】
本実施の形態において、第１スイッチング素子Ｑ１は、ＭＯＳＦＥＴである。第１スイッチング素子Ｑ１は、第１端子（本実施の形態においてはドレイン）と第２端子（本実施の形態においてはソース）と制御端子（本実施の形態においてはゲート）とを備える。
【００１９】
第１スイッチング素子Ｑ１の第１端子は、インダクタ１６の他端に接続される。第１スイッチング素子Ｑ１の第２端子は、整流回路６の低電位側に接続される。
【００２０】
ダイオード１７のアノードは、インダクタ１６の他端と第１スイッチング素子Ｑ１の第１端子との接続点に接続される。コンデンサ１８は、電解コンデンサである。コンデンサ１８の正極は、ダイオード１７のカソードに接続される。コンデンサ１８の負極は、整流回路６の低電位側に接続される。
【００２１】
抵抗１９と抵抗２０とは、直列に接続されることにより分圧回路を形成する。当該分圧回路は、コンデンサ１８に並列に接続される。
【００２２】
バックコンバータ回路１１は、第２スイッチング素子Ｑ２とダイオード２１とインダクタ２２とコンデンサ２３と検出抵抗２４とを備える。
【００２３】
第２スイッチング素子Ｑ２とダイオード２１とは、直列回路を形成する。当該直列回路は、昇圧チョッパ回路１０のコンデンサ１８と並列に接続される。
【００２４】
本実施の形態において、第２スイッチング素子Ｑ２は、ＭＯＳＦＥＴである。第２スイッチング素子Ｑ２は、第１端子（本実施の形態においてはドレイン）と第２端子（本実施の形態においてはソース）と制御端子（本実施の形態においてはゲート）とを備える。
【００２５】
第２スイッチング素子Ｑ２の第１端子は、コンデンサ１８の正極に接続される。第２スイッチング素子Ｑ２の第２端子は、ダイオード２１のカソードに接続される。ダイオード２１のアノードは、コンデンサ１８の負極に接続される。
【００２６】
インダクタ２２とコンデンサ２３と検出抵抗２４とは、この順に直列に接続して直列回路を形成する。当該直列回路は、ダイオード２１に並列に接続される。
【００２７】
ランプ接続検出回路１２は、コンデンサ２３に並列に接続される。ランプ接続検出回路１２は、抵抗２５と抵抗２６とを備える。
【００２８】
抵抗２５と抵抗２６とは、直列に接続されることにより分圧回路を形成する。当該分圧回路は、光源モジュール３に並列に接続される。
【００２９】
本実施の形態において、制御電源回路１３の電源入力端は、昇圧チョッパ回路１０の出力端に接続される。具体的には、制御電源回路１３は、コンデンサ１８の後段に接続される。
【００３０】
駆動回路１４の電源入力端は、制御電源回路１３の第１電源出力端に接続される。駆動回路１４の第１信号出力端は、第１スイッチング素子Ｑ１の制御端子に接続される。駆動回路１４の第２信号出力端は、第２スイッチング素子Ｑ２の制御端子に接続される。
【００３１】
デジタルインターフェース回路２７は、調光器２８からの調光信号の入力を受け付け得るように設けられる。
【００３２】
制御装置１５の電源入力端は、制御電源回路１３の第２電源出力端に接続される。制御装置１５の第１信号入力端は、抵抗８と抵抗９との接続点に接続される。制御装置１５の第２信号入力端は、抵抗１９と抵抗２０との接続点に接続される。制御装置１５の第３信号入力端は、第１スイッチング素子Ｑ１の第２端子に接続される。制御装置１５の第４信号入力端は、抵抗２５と抵抗２６との接続点に接続される。制御装置１５の第５信号入力端は、コンデンサ２３と検出抵抗２４との接続点に接続される。
【００３３】
例えば、壁スイッチＳＷの操作により交流電源２が投入されると、整流回路６は、交流電源２からの交流電圧を整流する。制御電源回路１３は、整流回路６により整流された直流電圧により起動する。制御電源回路１３は、駆動回路１４に電源電圧ＶＡＣＣを供給する。制御電源回路１３は、制御装置１５に電源電圧ＶＤＣＣを供給する。
【００３４】
昇圧チョッパ回路１０は、第１スイッチング素子Ｑ１を動作させることで整流回路６により整流された直流電圧を昇圧する。その結果、昇圧チョッパ回路１０は、第１出力電圧Ｖ１を出力する。第１出力電圧Ｖ１は、制御電源回路１３の電源電圧として用いられる。
【００３５】
バックコンバータ回路１１は、第２スイッチング素子Ｑ２を動作させることで第１出力電圧Ｖ１を降圧する。その結果、バックコンバータ回路１１は、第２出力電圧Ｖ２を出力する。第２出力電圧Ｖ２は、光源モジュール３の点灯に用いられる。
【００３６】
抵抗８と抵抗９とは、コンデンサ７の両端電圧を分圧する。その結果、入力電圧Ｖｉｎが生成される。抵抗１９と抵抗２０とは、コンデンサ１８の両端電圧を分圧する。その結果、検出電圧Ｖｐが生成される。抵抗２５と抵抗２６とは、コンデンサ２３の両端電圧を分圧する。その結果、検出電圧Ｖｂが生成される。
【００３７】
制御装置１５は、入力電圧Ｖｉｎの入力を受け付ける。制御装置１５は、検出電圧Ｖｐの入力を受け付ける。制御装置１５は、検出電圧Ｖｂの入力を受け付ける。
【００３８】
制御装置１５は、昇圧チョッパ回路１０に流れる電流Ｉｐを検出する。制御装置１５は、検出電圧ＶＩＬＥＤに基づいてバックコンバータ回路１１に流れる電流Ｉｂを検出する。制御装置１５は、検出電圧ＶＩＬＥＤに基づいて光源モジュール３に流れるＬＥＤ電流ＩＬＥＤを検出する。
【００３９】
制御装置１５は、ユーザーの設定により任意の異なるタイミングでＰＷＭ信号Ｓｐの出力とＰＷＭ信号Ｓｂの出力とを開始する。
【００４０】
例えば、制御装置１５は、検出電圧Ｖｐに基づいて昇圧チョッパ回路１０の出力電圧が一定値になるように、ＰＷＭ信号Ｓｐを調節する。具体的には、制御装置１５は、昇圧チョッパ回路１０の出力電圧が予め設定された昇圧目標値と一致するように、ＰＷＭ信号Ｓｐを調節する。特に、制御装置１５は、力率改善制御を行うために、いわゆる電流臨界モードまたは電流連続モード等で第１スイッチング素子Ｑ１のスイッチングを制御する。
【００４１】
ＰＷＭ信号Ｓｐは、駆動回路１４に入力される。駆動回路１４は、第１スイッチング素子Ｑ１をオンさせる為に必要な電圧までＰＷＭ信号Ｓｐを増幅して駆動信号を生成する。駆動回路１４は、当該駆動信号を第１スイッチング素子Ｑ１の制御端子に出力する。
【００４２】
第１スイッチング素子Ｑ１は、ＰＷＭ信号Ｓｐに従ってオンオフ動作を実施する。その結果、昇圧チョッパ回路１０は、所望の昇圧動作および力率改善動作を行う。
【００４３】
例えば、制御装置１５は、検出電圧ＶＩＬＥＤに基づいてＬＥＤ電流ＩＬＥＤが一定値となるように、ＰＷＭ信号Ｓｂを調節する。具体的には、制御装置１５は、バックコンバータ回路１１の出力電圧が予め設定された降圧目標値と一致するように、ＰＷＭ信号Ｓｂを調節する。
【００４４】
ＰＷＭ信号Ｓｂは、駆動回路１４に入力される。駆動回路１４は、第２スイッチング素子Ｑ２をオンさせる為に必要な電圧までＰＷＭ信号Ｓｂを増幅して駆動信号を生成する。駆動回路１４は、当該駆動信号を第２スイッチング素子Ｑ２の制御端子に出力する。
【００４５】
第２スイッチング素子Ｑ２は、ＰＷＭ信号Ｓｂに従ってオンオフ動作を実施する。その結果、バックコンバータ回路１１は、光源モジュール３の複数のＬＥＤ５を所望の明るさで点灯させる。
【００４６】
図１において、制御装置１５は、ＣＰＵ等が形成された回路基板を樹脂パッケージ等で封止した集積回路パッケージ（ＩＣパッケージ）の形態で提供される。当該集積回路パッケージには、いくつかのバリエーションが想定される。例えば、制御装置１５は、Ａ／Ｄ変換回路２９とマイコン３０とを内蔵する。
【００４７】
Ａ／Ｄ変換回路２９は、入力電圧Ｖｉｎと検出電圧Ｖｐと検出電圧Ｖｂと検出電圧ＶＩＬＥＤと電流Ｉｐとをそれぞれデジタル値に変換する。
【００４８】
マイコン３０は、メモリ、演算処理部等を内蔵する。例えば、メモリは、フラッシュメモリである。メモリは、点灯制御に必要な各種デジタル情報と制御プログラムとを記憶する。演算処理部は、Ａ／Ｄ変換回路２９を介してデジタル値に変換された各種情報とメモリに記憶された各種デジタル情報とを利用して点灯制御用の制御プログラムを実行する。
【００４９】
マイコン３０は、制御プログラムを実行することにより、第１スイッチング素子Ｑ１と第２スイッチング素子Ｑ２とのそれぞれのスイッチング制御に関するオンデューティ等の動作目標値を算出する。例えば、マイコン３０は、昇圧チョッパ回路１０において所望の昇圧電圧を得るとともに所望の力率改善制御を行うように、第１スイッチング素子Ｑ１の動作目標値を算出する。例えば、マイコン３０は、光源モジュール３の複数のＬＥＤ５において所望の明るさが得られるように、第２スイッチング素子Ｑ２の動作目標値を算出する。
【００５０】
調光器２８が操作されると、デジタルインターフェース回路２７は、調光器２８からの調光信号の入力を受け付ける。当該調光信号は、デジタルインターフェース回路２７からマイコン３０に伝達される。
【００５１】
マイコン３０は、当該調光信号に応じた調光率で光源モジュール３の複数のＬＥＤ５を点灯させるように、第２スイッチング素子Ｑ２についてオンデューティ等の動作目標値を算出する。マイコン３０は、算出した動作目標値で指定されたパルス幅、周期、デューティ等を満たすようにＰＷＭ信号ＳｐとＰＷＭ信号Ｓｂとをそれぞれ出力する。
【００５２】
本実施の形態において、調光器２８において消灯指示に対応した操作がなされると、デジタルインターフェース回路２７は、調光器２８から当該消灯指示に対応した信号の入力を受け付ける。当該信号は、デジタルインターフェース回路２７からマイコン３０に伝達される。
【００５３】
制御装置１５は、当該信号に基づいて昇圧チョッパ回路１０とバックコンバータ回路１１とを予め設定された順番で停止させる。具体的には、制御装置１５は、昇圧チョッパ回路１０に停止動作を開始させた後にバックコンバータ回路１１の停止動作を開始させる。
【００５４】
次に、図２を用いて、調光器２８から消灯指示を受ける際のＬＥＤ５の消灯動作を説明する。
図２はこの発明の実施の形態１における点灯装置が調光器から消灯指示を受ける際のＬＥＤの消灯動作を説明するためのタイミングチャートである。
【００５５】
図２の最上段は、昇圧チョッパ回路１０の第１出力電圧Ｖ１の変化を示すタイミングチャートである。図２の上から２段目は、第１スイッチング素子Ｑ１の状態を示すタイミングチャートである。図２の上から３段目は、バックコンバータ回路１１の第２出力電圧Ｖ２を示すタイミングチャートである。図２の上から４段目は、第２スイッチング素子Ｑ２の状態を示すタイミングチャートである。図２の上から５段目は、光源モジュール３に流れるＬＥＤ電流ＩＬＥＤの変化を示すタイミングチャートである。
【００５６】
時刻Ｔ１において、制御装置１５は、調光器２８から消灯指示を受ける。この際、制御装置１５は、第２スイッチング素子Ｑ２のスイッチングの停止動作を開始させる。時刻Ｔ１から時刻Ｔ２の直前までの間、制御装置１５は、昇圧チョッパ回路１０へのフィードバックが間に合うように第２スイッチング素子Ｑ２のスイッチングを徐々に停止させる。具体的には、制御装置１５は、第２スイッチング素子Ｑ２のスイッチングにおけるデューティ比を徐々に小さくする。時刻Ｔ２において、制御装置１５は、第２スイッチング素子Ｑ２を完全に停止させる。
【００５７】
その結果、時刻Ｔ１から時刻Ｔ２の直前までの間、バックコンバータ回路１１の第２出力電圧Ｖ２は徐々に小さくなる。時刻Ｔ２において、バックコンバータ回路１１の第２出力電圧Ｖ２は０となる。
【００５８】
このため、時刻Ｔ１から時刻Ｔ２の直前までの間、光源モジュール３に流れるＬＥＤ電流ＩＬＥＤは徐々に小さくなる。時刻Ｔ２において、光源モジュール３に流れるＬＥＤ電流ＩＬＥＤは０となる。この場合、ＬＥＤ５は、フェードアウトしながら時刻Ｔ２において完全に消灯する。
【００５９】
時刻Ｔ１から予め設定された時間が経過後、制御装置１５は、第１スイッチング素子Ｑ１の停止動作を開始させる。例えば、第２スイッチング素子Ｑ２が完全に停止した時刻Ｔ３において、制御装置１５は、第１スイッチング素子Ｑ１を完全に停止させる。なお、第２スイッチング素子Ｑ２が完全に停止する前に第１スイッチング素子Ｑ１の停止動作を開始させてもよい。
【００６０】
第１スイッチング素子Ｑ１の停止に伴い、昇圧チョッパ回路１０の第１出力電圧Ｖ１は小さくなる。
【００６１】
次に、図３を用いて、調光器２８から消灯指示を受ける際の制御装置１５の動作を説明する。
図３はこの発明の実施の形態１における点灯装置において調光器から消灯指示を受ける際の制御装置の動作を説明するためのフローチャートである。
【００６２】
ステップＳ１では、制御装置１５は、調光器２８から消灯指示を受けたか否を判定する。ステップＳ１で制御装置１５が調光器２８から消灯指示を受けていない場合は、ステップＳ１が繰り返される。ステップＳ１で制御装置１５が調光器２８から消灯指示を受けた場合は、ステップＳ２に進む。
【００６３】
ステップＳ２では、制御装置１５は、バックコンバータ回路１１に停止動作を開始させる。その後、ステップＳ３に進む。ステップＳ３では、制御装置１５は、昇圧チョッパ回路１０に停止動作を開始させる。その後、動作が終了する。
【００６４】
以上で説明した実施の形態１によれば、調光器２８から消灯指示を受けた際に、昇圧チョッパ回路１０とバックコンバータ回路１１とは、予め設定された順番で停止する。このため、ＬＥＤ５の消灯動作を安定させることができる。
【００６５】
具体的には、バックコンバータ回路１１が停止動作を開始した後、昇圧チョッパ回路１０が停止動作を開始する。この際、第２スイッチング素子Ｑ２のスイッチングは徐々に停止する。このため、昇圧チョッパ回路１０のフィードバックが間に合わずに昇圧チョッパ回路１０の出力電圧Ｖ１がオーバーシュートすることを防止できる。
【００６６】
なお、制御装置１５は、複数のマイコン３０を備えてもよい。複数のマイコン３０は、昇圧チョッパ回路１０を制御する「第１のマイコン３０」とバックコンバータ回路１１を制御する「第２のマイコン３０」とを含んでもよい。複数のマイコン３０が設けられた場合、それぞれのマイコン３０で異なるスイッチング制御開始タイミングなどを設定できるように、各マイコン３０の内部のプログラムを構築してもよい。あるいは、複数のマイコン３０が連携して動作してもよい。例えば、複数のマイコン３０が互いに通信を行い、昇圧チョッパ回路１０の駆動状態を示す信号とバックコンバータ回路１１の駆動状態を示す信号とを複数のマイコン３０の間で授受してもよい。
【００６７】
次に、図４と図５とを用いて、制御装置１５の変形例を説明する。
図４はこの発明の実施の形態１における点灯装置を備えた照明器具の制御装置の変形例を説明するための回路図である。図５はこの発明の実施の形態１における点灯装置を備えた照明器具の制御装置の変形例の周辺を説明するための回路図である。
【００６８】
図４において、制御装置１５は、制御電源回路１３、駆動回路１４等の「アナログ回路」とマイコン３０等の「デジタル回路」とを単一のＩＣパッケージに収納する。各回路は、ＩＣパッケージの内部において互いに配線接続される。この場合、駆動回路１４が制御装置１５の外側に設けられる場合と比べて、マイコン３０と駆動回路１４とを結ぶ信号送受信配線が飛躍的に短くなる。
【００６９】
制御装置１５は、制御電源回路１３の少なくとも一部を備える。例えば、制御装置１５は、受動回路部３１と制御電源ＩＣ３２とのうちの制御電源ＩＣ３２を備える。
【００７０】
ＩＣパッケージの内部において、信号送受信配線にノイズフィルタを接続してもよい。例えば、ノイズフィルタとしてコンデンサ素子を用いてもよい。この際、コンデンサ素子の一端を信号送受信配線と接続し、コンデンサ素子の他端をグランド配線と接続すればよい。
【００７１】
この場合、制御装置１５のパッケージの内部に形成された短い配線を介して、マイコン３０から駆動回路１４へとＰＷＭ信号ＳｐとＰＷＭ信号Ｓｂとを低ノイズで伝送できる。その結果、第１スイッチング素子Ｑ１と第２スイッチング素子Ｑ２とを精度よく連動させることができる。
【００７２】
図５において、制御電源回路１３は、降圧コンバータ回路である。例えば、制御電源回路１３は、バックコンバータ回路である。
【００７３】
制御電源回路１３において、受動回路部３１は、バックコンバータ回路を構成する複数の受動素子を備える。具体的には、受動素子の一方は、チョークコイルＬ１である。受動素子の他方は、コンデンサＣ１である。
【００７４】
制御電源回路１３において、制御電源ＩＣ３２は、バックコンバータ回路を構成する複数の能動素子を備える。具体的には、能動素子の一方は、インテリジェントパワーデバイスＩＰＤである。インテリジェントパワーデバイスＩＰＤは、スイッチング素子としてＭＯＳＦＥＴを内部に備える。能動素子の他方は、ダイオードＤ１である。
【００７５】
制御電源回路１３において、出力電圧は、チョークコイルＬ１とコンデンサＣ１との接続点から取り出される。当該出力電圧は、電源電圧ＶＡＣＣとして用いられる。電源電圧ＶＡＣＣは、駆動回路１４に供給される。当該出力電圧は、レギュレータＲＥＧに入力される。レギュレータＲＥＧは、当該出力電圧を降圧する。降圧された電圧は、電源電圧ＶＤＣＣとして用いられる。電源電圧ＶＤＣＣは、マイコン３０等に供給される。
【００７６】
なお、制御装置１５の変形例の一つとして、ＩＣパッケージの内部において、アナログ回路およびデジタル回路それぞれのグランド電極をＩＣパッケージの内部における共通のグランド配線（図示せず）に接続してもよい。この場合、グランド配線を短くすることができる。
【００７７】
他の変形例として、アナログ回路のグランド電極をＩＣパッケージの内部の第１グランド配線（図示せず）に接続し、デジタル回路のグランド電極をＩＣパッケージの内部において第１グランド配線と電気的に接続していない第２グランド配線（図示せず）に接続してもよい。この場合、駆動回路１４等の動作がマイコン３０の動作に影響しないようにすることができる。
【００７８】
なお、マイコン３０に代えて、デジタル信号処理装置（Ｄｉｇｉｔａｌ  Ｓｉｇｎａｌ  Ｐｒｏｃｅｓｓｅｒ：ＤＳＰ）を制御装置１５の内部に収めてもよい。制御装置１５においては、マイコン３０またはＤＳＰ等の「デジタル演算回路」が点灯装置４の点灯制御に関する演算処理を行えばよい。
【００７９】
実施の形態２．
図６はこの発明の実施の形態２における点灯装置が調光器から消灯指示を受ける際のＬＥＤの消灯動作を説明するためのタイミングチャートである。なお、実施の形態１と同一又は相当部分には、同一符号が付される。当該部分の説明は省略される。
【００８０】
図６の最上段は、昇圧チョッパ回路１０の第１出力電圧Ｖ１の変化を示すタイミングチャートである。図６の上から２段目は、第１スイッチング素子Ｑ１の状態を示すタイミングチャートである。図６の上から３段目は、バックコンバータ回路１１の第２出力電圧Ｖ２を示すタイミングチャートである。図６の上から４段目は、第２スイッチング素子Ｑ２の状態を示すタイミングチャートである。図６の上から５段目は、光源モジュール３に流れるＬＥＤ電流ＩＬＥＤの変化を示すタイミングチャートである。
【００８１】
実施の形態１の点灯装置４においては、調光器２８から消灯指示を受けた際に、バックコンバータ回路１１が停止動作を開始した後、昇圧チョッパ回路１０が停止動作を開始する。一方、実施の形態２においては、調光器２８から消灯指示を受けた際に、昇圧チョッパ回路１０が停止動作を開始した後、バックコンバータ回路１１が停止動作を開始する。
【００８２】
具体的には、時刻Ｔ１において、制御装置１５は、調光器２８から消灯指示を受ける。この際、制御装置１５は、第１スイッチング素子Ｑ１のスイッチングの停止動作を開始させる。時刻Ｔ１から時刻Ｔ２の直前までの間、制御装置１５は、第１スイッチング素子Ｑ１のスイッチングを徐々に停止させる。具体的には、制御装置１５は、第１スイッチング素子Ｑ１のスイッチングにおけるデューティ比を徐々に小さくする。時刻Ｔ２において、制御装置１５は、第１スイッチング素子Ｑ１を完全に停止させる。
【００８３】
その結果、時刻Ｔ１から時刻Ｔ２の直前までの間、昇圧チョッパ回路１０の第１出力電圧Ｖ１は徐々に小さくなる。時刻Ｔ２において、昇圧チョッパ回路１０の第１出力電圧Ｖ１は一定となる。
【００８４】
時刻Ｔ１から時刻Ｔ３の直前までの間、制御装置１５は、第２スイッチング素子Ｑ２のスイッチングを固定周波数制御に切り替える。時刻Ｔ３において、制御装置１５は、第２スイッチング素子Ｑ２のスイッチングの停止動作を開始させる。この際、制御装置１５は、第２スイッチング素子Ｑ２のスイッチングを徐々に停止させる。具体的には、制御装置１５は、第２スイッチング素子Ｑ２のスイッチングにおけるデューティ比を徐々に小さくする。
【００８５】
その結果、時刻Ｔ１から時刻Ｔ３の直前までの間、バックコンバータ回路１１の第２出力電圧Ｖ２は徐々に小さくなる。時刻Ｔ３以降も、バックコンバータ回路１１の第２出力電圧Ｖ２は徐々に小さくなる。その後、バックコンバータ回路１１の第２出力電圧Ｖ２は最終的に０となる。
【００８６】
このため、時刻Ｔ１から時刻Ｔ３の直前までの間、光源モジュール３に流れるＬＥＤ電流ＩＬＥＤは徐々に小さくなる。時刻Ｔ３以降も、光源モジュール３に流れるＬＥＤ電流ＩＬＥＤは徐々に小さくなる。その後、光源モジュール３に流れるＬＥＤ電流ＩＬＥＤは最終的に０となる。この場合、ＬＥＤ５は、自然なフェードアウトで消灯する。
【００８７】
次に、図７を用いて、調光器２８から消灯指示を受ける際の制御装置１５の動作を説明する。
図７はこの発明の実施の形態２における点灯装置において調光器から消灯指示を受ける際の制御装置の動作を説明するためのフローチャートである。
【００８８】
ステップＳ１１では、制御装置１５は、調光器２８から消灯指示を受けたか否かを判定する。ステップＳ１１で制御装置１５が調光器２８から消灯指示を受けていない場合は、ステップＳ１１が繰り返される。ステップＳ１１で制御装置１５が調光器２８から消灯指示を受けた場合は、ステップＳ１２に進む。
【００８９】
ステップＳ１２では、制御装置１５は、昇圧チョッパ回路１０に停止動作を開始させる。その後、ステップＳ１３に進む。ステップＳ１３では、制御装置１５は、バックコンバータ回路１１に停止動作を開始させる。その後、動作が終了する。
【００９０】
以上で説明した実施の形態２によれば、調光器２８から消灯指示を受けた際に、昇圧チョッパ回路１０が停止動作を開始した後、バックコンバータ回路１１が停止動作を開始する。このため、昇圧チョッパ回路１０の出力電圧Ｖ１を下げることができる。この場合、ＬＥＤ５の光量を絞る制御範囲の下限値を低くすることができる。その結果、第２スイッチング素子Ｑ２の最小オン時間に依存することなく、自然なフェードアウトでＬＥＤ５を消灯させることができる。
【００９１】
実施の形態３．
図８はこの発明の実施の形態３における点灯装置が調光器から消灯指示を受ける際のＬＥＤの消灯動作を説明するためのタイミングチャートである。なお、実施の形態１と同一又は相当部分には、同一符号が付される。当該部分の説明は省略される。
【００９２】
図８（ａ）と図８（ｂ）との最上段は、昇圧チョッパ回路１０の第１出力電圧Ｖ１の変化を示すタイミングチャートである。図８（ａ）と図８（ｂ）との上から２段目は、第１スイッチング素子Ｑ１の状態を示すタイミングチャートである。図８（ａ）と図８（ｂ）との上から３段目は、バックコンバータ回路１１の第２出力電圧Ｖ２を示すタイミングチャートである。図８（ａ）と図８（ｂ）との上から４段目は、第２スイッチング素子Ｑ２の状態を示すタイミングチャートである。図８（ａ）と図８（ｂ）との上から５段目は、光源モジュール３に流れるＬＥＤ電流ＩＬＥＤの変化を示すタイミングチャートである。
【００９３】
実施の形態１の点灯装置４においては、調光器２８から消灯指示を受けた際に、バックコンバータ回路１１が停止動作を開始した後、昇圧チョッパ回路１０が停止動作を開始する。一方、実施の形態３においては、調光器２８から消灯指示を受けた際に、バックコンバータ回路１１を停止させ、昇圧チョッパ回路１０の駆動を維持する。
【００９４】
図８（ａ）では、時刻Ｔ１において、制御装置１５は、調光器２８から消灯指示を受ける。この際、制御装置１５は、第２スイッチング素子Ｑ２のスイッチングの停止動作を開始させる。時刻Ｔ１から時刻Ｔ２の直前までの間、制御装置１５は、第２スイッチング素子Ｑ２のスイッチングを徐々に停止させる。具体的には、制御装置１５は、第２スイッチング素子Ｑ２のスイッチングにおけるデューティ比を徐々に小さくする。時刻Ｔ２において、制御装置１５は、第２スイッチング素子Ｑ２を完全に停止させる。
【００９５】
その結果、時刻Ｔ１から時刻Ｔ２の直前までの間、バックコンバータ回路１１の第２出力電圧Ｖ２は徐々に小さくなる。時刻Ｔ２において、バックコンバータ回路１１の第２出力電圧Ｖ２は０となる。
【００９６】
時刻Ｔ１以降、制御装置１５は、第１スイッチング素子Ｑ１のスイッチングを維持する。
【００９７】
その結果、時刻Ｔ１以降、昇圧チョッパ回路１０の第１出力電圧Ｖ１は一定となる。
【００９８】
このため、時刻Ｔ１から時刻Ｔ２の直前までの間、光源モジュール３に流れるＬＥＤ電流ＩＬＥＤは第２出力電圧Ｖ２に追従して徐々に小さくなる。時刻Ｔ２において、光源モジュール３に流れるＬＥＤ電流ＩＬＥＤは０となる。この場合、ＬＥＤ５は、フェードアウトしながら時刻Ｔ２において完全に消灯する。
【００９９】
時刻Ｔ３において、制御装置１５は、調光器２８から再点灯指示を受ける。この際、制御装置１５は、第２スイッチング素子Ｑ２のスイッチングを再開させる。
【０１００】
この際、昇圧チョッパ回路１０の第１出力電圧Ｖ１は、一定に維持されている。その結果、再点灯指示を受けた時刻Ｔ３において、バックコンバータ回路１１の第２出力電圧Ｖ２は、時刻Ｔ１の際の値と同等の値となる。
【０１０１】
このため、時刻Ｔ３において、光源モジュール３に流れるＬＥＤ電流ＩＬＥＤは、時刻Ｔ１における値と同等の値となる。この場合、ＬＥＤ５は、時刻Ｔ１における状態と同等の状態で点灯する。
【０１０２】
図８（ｂ）では、時刻Ｔ１において、制御装置１５は、調光器２８から消灯指示を受ける。この際、制御装置１５は、第２スイッチング素子Ｑ２のスイッチングの停止動作を開始させる。時刻Ｔ１から時刻Ｔ２の直前までの間、制御装置１５は、第２スイッチング素子Ｑ２のスイッチングを徐々に停止させる。具体的には、制御装置１５は、第２スイッチング素子Ｑ２のスイッチングにおけるデューティ比を徐々に小さくする。時刻Ｔ２において、制御装置１５は、第２スイッチング素子Ｑ２を完全に停止させる。
【０１０３】
その結果、時刻Ｔ１から時刻Ｔ２の直前までの間、バックコンバータ回路１１の第２出力電圧Ｖ２は徐々に小さくなる。時刻Ｔ２において、バックコンバータ回路１１の第２出力電圧Ｖ２は０となる。
【０１０４】
このため、時刻Ｔ１から時刻Ｔ２の直前までの間、光源モジュール３に流れるＬＥＤ電流ＩＬＥＤは第２出力電圧Ｖ２に追従して徐々に小さくなる。時刻Ｔ２において、光源モジュール３に流れるＬＥＤ電流ＩＬＥＤは０となる。この場合、ＬＥＤ５は、フェードアウトしながら時刻Ｔ２において完全に消灯する。
【０１０５】
時刻Ｔ１から時刻Ｔ３の直前までの間、制御装置１５は、第１スイッチング素子Ｑ１のスイッチングを維持する。
【０１０６】
その結果、時刻Ｔ１から時刻Ｔ３の直前までの間、昇圧チョッパ回路１０の第１出力電圧Ｖ１は一定となる。
【０１０７】
時刻Ｔ３以降、制御装置１５は、第２スイッチング素子Ｑ２を完全に停止させた状態で第１スイッチング素子Ｑ１について周期一定でオン期間を短縮させていく。
【０１０８】
その結果、時刻Ｔ３以降、昇圧チョッパ回路１０の第１出力電圧Ｖ１は低減していく。昇圧チョッパ回路１０の第１出力電圧Ｖ１は最終的に０となる。
【０１０９】
次に、図９を用いて、調光器２８から消灯指示を受ける際の制御装置１５の動作を説明する。
図９はこの発明の実施の形態３における点灯装置において調光器から消灯指示を受ける際の制御装置の動作を説明するためのフローチャートである。
【０１１０】
ステップＳ２１では、制御装置１５は、調光器２８から消灯指示を受けたか否かを判定する。ステップＳ２１で制御装置１５が調光器２８から消灯指示を受けていない場合は、ステップＳ２１が繰り返される。ステップＳ２１で制御装置１５が調光器２８から消灯指示を受けた場合は、ステップＳ２２に進む。
【０１１１】
ステップＳ２２では、制御装置１５は、バックコンバータ回路１１に停止動作を開始させる。その後、ステップＳ２３に進む。ステップＳ２３では、制御装置１５は、調光器２８から再点灯指示を受けたか否かを判定する。
【０１１２】
ステップＳ２３で制御装置１５が調光器２８から再点灯指示を受けていない場合は、ステップＳ２４に進む。ステップＳ２４では、制御装置１５は、予め設定された時間が経過したか否かを判定する。
【０１１３】
ステップＳ２４で予め設定された時間が経過していない場合は、ステップＳ２３に戻る。ステップＳ２４で予め設定された時間が経過した場合は、ステップＳ２５に進む。ステップＳ２５では、制御装置１５は、昇圧チョッパ回路１０の第１出力電圧Ｖ１を低減させていく。具体的には、制御装置１５は、第１スイッチング素子Ｑ１のスイッチングのオン期間を短縮させていく。この場合、昇圧チョッパ回路１０は、最終的に停止する。その後、動作が終了する。
【０１１４】
ステップＳ２３で制御装置１５が調光器２８から再点灯指示を受けた場合は、ステップＳ２６に進む。ステップＳ２６では、制御装置１５は、バックコンバータ回路１１の駆動を再開させる。その後、動作が終了する。
【０１１５】
以上で説明した実施の形態３によれば、調光器２８から消灯指示を受けた際に、バックコンバータ回路１１が停止し、昇圧チョッパ回路１０の駆動が維持される。このため、調光器２８から再点灯指示を受けた際に、ＬＥＤ５を速やかに点灯させることができる。
【０１１６】
なお、調光器２８から消灯指示を受けた際に、バックコンバータ回路１１の停止動作と昇圧チョッパ回路１０の停止動作とを同時に開始させてもよい。
【符号の説明】
【０１１７】
１  照明器具、  ２  交流電源、  ３  光源モジュール、  ４  点灯装置、  ５  ＬＥＤ、  ６  整流回路、  ７  コンデンサ、  ８  抵抗、  ９  抵抗、  １０  昇圧チョッパ回路、  １１  バックコンバータ回路、  １２  ランプ接続検出回路、  １３  制御電源回路、  １４  駆動回路、  １５  制御装置、  １６  インダクタ、  １７  ダイオード、  １８  コンデンサ、  １９  抵抗、  ２０  抵抗、  ２１  ダイオード、  ２２  インダクタ、  ２３  コンデンサ、  ２４  検出抵抗、  ２５  抵抗、  ２６  抵抗、  ２７  デジタルインターフェース回路、  ２８  調光器、  ２９  Ａ／Ｄ変換回路、  ３０  マイコン、  ３１  受動回路部、  ３２  制御電源ＩＣ
【図１】
0006668684.tif 000002
【図２】
0006668684.tif 000003
【図３】
0006668684.tif 000004
【図４】
0006668684.tif 000005
【図５】
0006668684.tif 000006
【図６】
0006668684.tif 000007
【図７】
0006668684.tif 000008
【図８】
0006668684.tif 000009
【図９】
0006668684.tif 000010